(57)【要約】      （修正有）【課題】複数の物品から、所望とする物品を容易に検索可能な物品検索システムの制御方法等を提供する。【解決手段】複数の無線ＩＣタグ１１と、無線ＩＣタグ１１の駆動制御によりシグナルを発するシグナル発信手段１４とが設けられた複数のＩＣタグ付きラベル２と、ＩＣタグ１１毎に、当該ＩＣタグ１１が設けられたＩＣタグ付きラベル２が貼付された各物品Ｆに関する物品情報を関連付けて記憶する記憶手段が設けられ、複数の無線ＩＣタグ１１を制御する制御装置４と、から成る物品検索システム１の制御方法であって、制御装置４が、複数の物品Ｆの中から１以上の物品Ｆを検索するための検索条件を取得し、取得した検索条件に該当する物品情報に対応する無線ＩＣタグ１１を記憶手段から読み出し、読み出した無線ＩＣタグ１１に駆動命令を送信し、駆動命令を受信した無線ＩＣタグ１１が、シグナル発信手段１４を駆動する。【選択図】図１
2006290590.tif 000002
【特許請求の範囲】
【請求項１】
複数の物品にそれぞれ貼付され、それぞれに無線ＩＣタグと、前記無線ＩＣタグの駆動制御によりシグナルを発するシグナル発信手段とが設けられた複数のＩＣタグ付きラベルと、
前記無線ＩＣタグ毎に、当該無線ＩＣタグが設けられた前記ＩＣタグ付きラベルが貼付された各物品に関する物品情報を関連付けて記憶する記憶手段が設けられ、無線通信を用いて、前記複数の無線ＩＣタグを制御する制御装置と、から成る物品検索システムの制御方法であって、
前記制御装置が、複数の物品の中から１以上の物品を検索するための検索条件を取得する検索条件取得工程と、
前記制御装置が、取得した検索条件に該当する前記物品情報に対応する前記無線ＩＣタグを前記記憶手段から読み出し、読み出した前記無線ＩＣタグに駆動命令を送信する駆動命令送信工程と、
前記駆動命令を受信した前記無線ＩＣタグが、前記シグナル発信手段を駆動する受信・駆動工程と、を実行することを特徴とする物品検索システムの制御方法。
【請求項２】
複数の物品にそれぞれ貼付され、それぞれに貼付された前記物品に関する物品情報を記憶した無線ＩＣタグと、前記無線ＩＣタグの駆動制御によりシグナルを発するシグナル発信手段とが設けられた複数のＩＣタグ付きラベルと、
無線通信を用いて、前記複数の無線ＩＣタグを制御する制御装置と、から成る物品検索システムの制御方法であって、
前記制御装置が、複数の物品の中から１以上の物品を検索するための検索条件を取得する検索条件取得工程と、
前記制御装置が、取得した検索条件を前記複数の無線ＩＣタグに送信する検索条件送信工程と、
前記複数の無線ＩＣタグが、前記検索条件を受信して、それぞれが記憶している前記物品情報が前記検索条件に該当するか否かを判別し、該当すると判別した場合に、前記シグナル発信手段を駆動する判別・駆動工程と、を実行することを特徴とする物品検索システムの制御方法。
【請求項３】
複数の物品にそれぞれ貼付され、それぞれに無線ＩＣタグと、前記無線ＩＣタグの駆動制御によりシグナルを発するシグナル発信手段とが設けられた複数のＩＣタグ付きラベルと、
無線通信を用いて、前記複数の無線ＩＣタグを制御する制御装置と、から成る物品検索システムであって、
前記無線ＩＣタグ毎に、当該無線ＩＣタグが設けられた前記ＩＣタグ付きラベルが貼付された各物品に関する物品情報を関連付けたタグ−物品関連情報を記憶する記憶手段と、
前記複数の物品の中から１以上の物品を検索するための検索条件を入力するための入力手段と、
前記タグ−物品関連情報に基づいて、入力された前記検索条件に該当する前記物品情報に対応する前記無線ＩＣタグと同一ラベル上に設けられた前記シグナル発信手段を駆動する駆動手段と、を備えていることを特徴とする物品検索システム。
【請求項４】
請求項１または２に記載の物品検索システムの制御方法が実行される物品検索システム、または請求項３に記載の物品検索システムに用いられることを特徴とするＩＣタグ付きラベル。
【請求項５】
前記シグナル発信手段は、ＬＥＤで構成されていることを特徴とする請求項４に記載のＩＣタグ付きラベル。
【発明の詳細な説明】
【技術分野】
【０００１】
本発明は、無線ＩＣタグが設けられた複数のＩＣタグ付きラベルと、無線通信を用いて、複数の無線ＩＣタグを制御する制御装置と、から成る物品検索システムの制御方法、物品検索システム、およびＩＣタグ付きラベルに関する。
【背景技術】
【０００２】
従来から、物品に無線ＩＣタグ（非接触ＩＣタグ）を取り付け、物品の陳列場所管理する物品検索システムが提案されている。物品検索システムには、物品を単位個数ずつ配置した配置場所のおのおのにタグリーダが設けられていると共に、各無線ＩＣタグには、物品の識別情報が書き込まれており、タグリーダで、各無線ＩＣタグの識別情報を常時読み取ることにより、物品が配置されている配置場所をリアルタイムで把握できるようになっている（特許文献１参照）。
【特許文献１】特開２００４−２６４６５号公報
【発明の開示】
【発明が解決しようとする課題】
【０００３】
しかしながら、上述の物品検索システムでは、配置場所単位で物品の位置が把握されるため、検索しようとする物品の位置は、配置場所単位でしか把握（特定）することができない。したがって、各配置場所に配置される物品の数が多い場合には、特定した配置場所から所望とする物品を探し出すのは煩雑である。
【０００４】
そこで、本発明は、特定した配置場所に配置された複数の物品から、所望とする物品を容易に検索可能な物品検索システムの制御方法、物品検索システム、およびＩＣタグ付きラベルを提供することを課題としている。
【課題を解決するための手段】
【０００５】
本発明は、複数の物品にそれぞれ貼付され、それぞれに無線ＩＣタグと、無線ＩＣタグの駆動制御によりシグナルを発するシグナル発信手段とが設けられた複数のＩＣタグ付きラベルと、無線ＩＣタグ毎に、当該無線ＩＣタグが設けられたＩＣタグ付きラベルが貼付された各物品に関する物品情報を関連付けて記憶する記憶手段が設けられ、無線通信を用いて、複数の無線ＩＣタグを制御する制御装置と、から成る物品検索システムの制御方法であって、制御装置が、複数の物品の中から１以上の物品を検索するための検索条件を取得する検索条件取得工程と、制御装置が、取得した検索条件に該当する物品情報に対応する無線ＩＣタグを記憶手段から読み出し、読み出した無線ＩＣタグに駆動命令を送信する駆動命令送信工程と、駆動命令を受信した無線ＩＣタグが、シグナル発信手段を駆動する受信・駆動工程と、を実行することを特徴とする。
【０００６】
この構成によれば、物品の検索条件に基づいて、制御手段が無線ＩＣタグを読み出し、読み出した無線ＩＣタグに駆動命令を送信することにより、検索条件に該当する物品情報を有するファイルに貼付されているＩＣタグ付きラベルのシグナル発信手段を駆動することができる。したがって、シグナル発信手段が発するシグナルをガイドとすることにより、ユーザは、複数の物品の中から、検索対象物の物品を容易に判別可能であると共に、これを速やかに見つけ出すことができる。なお、シグナル発信手段のシグナルとしては、音や光が該当する。
【０００７】
また、本発明は、複数の物品にそれぞれ貼付され、それぞれに貼付された物品に関する物品情報を記憶した無線ＩＣタグと、無線ＩＣタグの駆動制御によりシグナルを発するシグナル発信手段とが設けられた複数のＩＣタグ付きラベルと、無線通信を用いて、複数の無線ＩＣタグを制御する制御装置と、から成る物品検索システムの制御方法であって、制御装置が、複数の物品の中から１以上の物品を検索するための検索条件を取得する検索条件取得工程と、制御装置が、取得した検索条件を複数の無線ＩＣタグに送信する検索条件送信工程と、複数の無線ＩＣタグが、検索条件を受信して、それぞれが記憶している物品情報が検索条件に該当するか否かを判別し、該当すると判別した場合に、シグナル発信手段を駆動する判別・駆動工程と、を実行することを特徴とする。
【０００８】
この構成によれば、物品の検索条件に基づいて、制御手段により送信された検索条件を複数の無線ＩＣタグが受信すると、各無線ＩＣタグが、検索条件に該当する物品情報を記憶している否かを判別し、該当すると判別した場合にシグナル発信手段が駆動される。すなわち、検索条件に該当する物品情報を有する物品に貼付されたＩＣタグ付きラベルのシグナル発信手段が駆動されるため、ユーザは、複数の物品の中から、検索対象物の物品を容易に判別可能であると共に、これを速やかに見つけ出すことができる。
【０００９】
また、本発明は、複数の物品にそれぞれ貼付され、それぞれに無線ＩＣタグと、無線ＩＣタグの駆動制御によりシグナルを発するシグナル発信手段とが設けられた複数のＩＣタグ付きラベルと、無線通信を用いて、複数の無線ＩＣタグを制御する制御装置と、から成る物品検索システムであって、無線ＩＣタグ毎に、当該無線ＩＣタグが設けられたＩＣタグ付きラベルが貼付された各物品に関する物品情報を関連付けたタグ−物品関連情報を記憶する記憶手段と、複数の物品の中から１以上の物品を検索するための検索条件を入力するための入力手段と、タグ−物品関連情報に基づいて、入力された検索条件に該当する物品情報に対応する無線ＩＣタグと同一ラベル上に設けられたシグナル発信手段を駆動する駆動手段と、を備えていることを特徴とする。
【００１０】
この構成によれば、記憶手段に記憶されたタグ−物品関連情報に基づいて、検索条件に該当する物品情報に対応する無線ＩＣタグと同一ラベル上に設けられたシグナル発信手段が駆動される。したがって、ユーザは、複数の物品の中から、検索対象物の物品を容易に判別可能であると共に、これを速やかに見つけ出すことができる。なお、記憶手段は、無線ＩＣタグ側および制御装置側のいずれに設けることも可能であり、無線ＩＣタグの記憶領域を用いて構成することも可能であるし、制御装置が有する記憶手段を用いて構成することも可能である。
【００１１】
本発明のＩＣタグ付きラベルは、上記のいずれかに記載の物品検索システムの制御方法が実行される物品検索システム、または上記に記載の物品検索システムに用いられることを特徴とする。
【００１２】
この構成によれば、本発明のＩＣタグ付きラベルは、上記のいずれかに記載の物品検索システムの制御方法が実行される物品検索システム、または上記に記載の物品検索システムに用いられる、これら物品検索システムを実現することが可能である。
【００１３】
この場合、シグナル発信手段は、ＬＥＤで構成されていることが好ましい。
【００１４】
この構成によれば、ＬＥＤの発光をシグナルとして用いることができ、ユーザはＬＥＤの発光をガイドとして、物品を容易かつ迅速に探し出すことができる。
【発明を実施するための最良の形態】
【００１５】
以下、添付の図面を参照しながら、本発明を適用した第１実施形態のファイル管理システムについて説明する。ファイル管理システム１は、無線ＩＣタグを利用して、（複数の）書棚に配置された複数のファイル（物品）を管理するものであり、図１に示すように、各ファイルＦの背表紙に貼付され、それぞれにＩＣタグ１１（図示省略）が設けられた複数のＩＣタグ付きラベル２と、ＲＦＩＤ（Radio Frequency-Identification：電波方式認識）を利用した無線通信により各ＩＣタグ付きラベル２のＩＣタグ１１に対して、電源供給およびデータの読み書きを行う（複数の）無線通信端末（リーダ／ライタ）３と、無線通信端末３を介して、複数のＩＣタグ１１と通信可能なデータ処理装置４と、を備えている。
【００１６】
詳細は後述するが、各無線ＩＣタグ１１には、（ＩＣタグ付きラベル２を介して）当該無線ＩＣタグ１１が貼付されているファイルＦのファイル情報が記憶されており、ファイル管理システム１では、データ処理装置４から検索条件を入力することにより、各無線ＩＣタグ１１に記憶されているファイル情報に基づいて、複数のファイルから検索条件に該当する特定のファイルを検索（ファイル検索）できるようになっている。
【００１７】
図１に示すように、ＩＣタグ付きラベル２には、当該ラベルの貼付対象物であるファイルＦのファイル名や分類情報等、複数の情報項目から成るファイル情報の少なくとも一部が表記されている。また、図２に示すように、ＩＣタグ付きラベル２は、無線通信端末３と無線通信を行うためのタグ側アンテナ１２、およびファイル情報を記憶するＩＣチップ１３を有した無線ＩＣタグ１１と、無線ＩＣタグ１１（ＩＣチップ１３）の制御に基づいてシグナルを発するシグナル発信手段１４と、を備えている。
【００１８】
シグナル発信手段１４は、同一ラベル上に配置された無線ＩＣタグ１１（ＩＣチップ１３）の制御により発光するＬＥＤ１５を有している。シグナル発信手段１４は、ファイル検索に用いられるものであり、検索対象物に貼付されたＩＣタグ付きラベル２のＬＥＤ１５が発光する。すなわち、このＬＥＤ１５の発光が、検索対象物を特定するためのシグナルとして機能しており、ＬＥＤ１５の発光によりファイルＦが検索対象物であるか否かを一目で認識できるようになっている。
【００１９】
無線通信端末３は、（各ＩＣタグ付きラベル２の）各無線ＩＣタグ１１に対して、タグ側アンテナ１２を介して、無線ＩＣタグ１１と無線通信を行う端末側アンテナ２１と、端末側アンテナ２１を介して、無線ＩＣタグ１１の電源となる電波（ＲＦエネルギー）を供給すると共に、データの送受信を行うための端末本体２２と、を備えている（図２参照）。図１に示すように、無線通信端末３は、複数設けられ、ファイルＦが収納された書棚Ｂ毎に配置されている。そして、各無線通信端末３の端末側アンテナ２１は、各書棚Ｂに対応した交信領域を有しており、各無線通信端末３は、当該無線通信端末３が配置された書棚Ｂに収納されているファイルＦの無線ＩＣタグ１１と通信を行うようになっている。
【００２０】
なお、本実施形態における無線ＩＣタグ１１と無線通信端末３とのアクセス方式は、端末側アンテナ２１の交信領域内にある複数の無線ＩＣタグ１１のうち、特定のタグと交信可能なセレクティブアクセス、および端末側アンテナ２１の交信領域内に存在する複数の無線ＩＣタグ１１全てと交信可能なマルチアクセスのいずれにも対応している。
【００２１】
データ処理装置４は、パソコン等で構成されており、キーボードやマウス等の入力装置３１や、ＦＤドライブやＣＤ−ＲＯＭドライブ、メモリカードスロット等、各種記憶媒体を読み取るための各種ドライブ３２、各種データやメッセージなどを表示するディスプレイ３３等が備えられている。なお、データ処理装置４と無線通信端末３とは、有線通信で接続してもよいし、無線通信で接続してもよい。
【００２２】
次に、ファイル管理システム１の制御構成について説明する。図２に示すように、無線ＩＣタグ１１は、各種情報を記憶するメモリ部４１と、タグ側アンテナ１２から送受信する各種情報を処理すると共に、メモリ部４１に対する各種情報の読み出し／書き込みを制御する制御処理部４２と、を備えている。図示省略したが、メモリ部４１は、ファイル情報が記憶されるファイル情報記憶領域、無線ＩＣタグ１１（制御処理部４２）を動作させるための各種制御情報が記憶される制御情報記憶領域、無線ＩＣタグ１１を識別するために無線ＩＣタグ１１が固有に有するタグ識別情報（ＵＩＤ）を記憶する識別情報記憶領域を有している。
【００２３】
シグナル発信手段１４は、ＬＥＤ１５を有するシグナル発信部４５と、無線ＩＣタグ１１の制御処理部４２からの制御に従って、ＬＥＤ１５（シグナル発信部４５）を発光駆動させるＬＥＤ駆動回路４６と、を有している。
【００２４】
無線通信端末３は、データ処理装置４に接続するためのインタフェース５１と、端末側アンテナ２１を介して無線ＩＣタグ１１の電源となる電波を供給するための電源供給部５２と、端末側アンテナ２１を介してデータの送受信を行うためデータ送受信部５３と、を有している。なお、無線通信端末３も、他の無線通信端末３と識別するために用いられる端末識別情報を有している。
【００２５】
データ処理装置４は、無線通信端末３に接続するためのインタフェース６１と、データ処理装置４自身を制御すると共に、無線通信端末３を制御すること介して無線ＩＣタグ１１を制御する制御部６２と、を備えている。
【００２６】
制御部６２は、一時的に記憶可能な記憶領域を有し、制御処理のための作業領域として使用されるＲＡＭ６４と、各種記憶領域を有し、制御プログラムや各種制御データを記憶するＲＯＭ６５と、アプリケーションプログラムや無線通信端末３を介して受信したファイル情報等、各種情報・各種データを記憶可能なハードディスク６６と、ＲＯＭ６５やハードディスク６６に記憶されたプログラム等に基づいて、演算処理を行うＣＰＵ６７と、これらを互いに接続するバス６８と、を有している。
【００２７】
制御部６２では、ＣＰＵ６７がＲＯＭ６５内の制御プログラムや、ハードディスク６６に記憶されたアプリケーションプログラム等に従って、各種信号・データを入力・処理した後、各種信号データを各部に出力することにより、データ処理装置４および無線通信端末３の制御を行うようになっている。
【００２８】
例えば、ハードディスク６６には、ファイルを管理するためのソフトウェア（ファイル管理アプリケーション）がインストールされており、このファイル管理アプリケーションに基づいて、（ＣＰＵ６７が）各種処理を行うことにより、上述したファイル検索を行うことができるようになっている。
【００２９】
ここで、ファイル検索を行うために実行される一連の動作処理について説明する。ファイル管理アプリケーションが起動されている状態で、入力装置３１を用いて所定の操作を行うと、ディスプレイ３３には、ファイル検索画面７１が表示される（図３参照）。本実施形態において、ファイル情報は、ファイル名、ファイルの分類、ファイル作成日、ファイル作成者、およびファイルＦの配置位置（どの書棚ＢにファイルＦが配置されているか）の５つの情報項目から成り、ファイル検索画面７１には、ファイルを検索するための検索条件となる検索データを、各項目に対応させて、ユーザが入力できるようになっている。この場合、ユーザは、少なくとも１の情報項目について検索データを入力すれば足り、全ての情報項目について検索データを入力する必要はない。
【００３０】
なお、無線ＩＣタグ１１のメモリ部４１（ファイル情報記憶領域）に記憶される各情報項目のデータには、当該データがどの情報項目に属するデータであるかを識別するための項目識別情報を付されており、情報項目毎にデータを識別可能となっている。
【００３１】
ユーザによる検索データの入力に基づいて、データ処理装置４（制御部６２）が検索データを取得すると、取得した検索データに基づいて、全書棚Ｂに収納されている全ファイルから、検索条件に該当する特定のファイルを検索するファイル検索処理が開始される。図４に示すように、ファイル検索処理では、先ず、データ処理装置４の制御部６２が、全無線ＩＣタグ１１から、取得した検索データが属する情報項目、すなわち検索情報項目に該当するデータ（検索対象データ）およびファイル名に該当するデータ（ファイル名データ）を読み出すための情報送信命令を作成し（Ｓ１１）、作成した情報送信命令を（複数の）無線通信端末３を介して、全無線ＩＣタグ１１に送信する（Ｓ１２）。そして、情報送信命令を受信した各無線ＩＣタグ１１はそれぞれ、検索対象データおよびファイル名データを、無線通信端末３を介してデータ処理装置４に送信する（Ｓ１３）。このとき、各無線ＩＣタグ１１は、検索対象データおよびファイル名データと共に、自身のタグ識別情報も送信するようになっている。
【００３２】
無線ＩＣタグ１１から送信されたデータは、無線ＩＣタグ１１毎に、検索対象データ、ファイル名データ、およびタグ識別情報を関連付けられて、一旦ハードディスク６６に記憶され、以降のデータ取得の際に用いられる。データ処理装置４は、送信され、記憶された検索対象データが検索条件に該当するか否か（取得した検索データと一致するか否か）を判別すると共に、該当すると判断した検索対象データに関連付けられているファイル名データを（ハードディスク６６から）取得する。全無線ＩＣタグ１１から受信した全て検索対象データについて判別とファイル名データの取得とを行った（Ｓ１４）後、データ処理装置４は、ファイル検索の結果を示す検索結果表示画面８１をディスプレイ３３に表示させる（Ｓ１５）。
【００３３】
図５（ａ）に示すように、検索結果表示画面８１には、検索条件と、検索条件に該当した該当件数と、検索対象データが検索条件に該当すると判断したときに取得したファイル名データ、すなわち検索条件に該当すると判断された検索対象データと同一の無線ＩＣタグ１１に記憶されているファイル名データ、に基づくファイル名（の一覧）と、が表示される。検索結果表示画面８１では、所定件数毎にファイル名を表示するようになっており、所定件数に収まらなかった他のファイル名は、次ページ表示ボタン８２をクリックすることにより、一覧表示される。なお、検索条件に該当するファイル名の所定件数毎の一覧表示に代えて、ファイル名をスクロール表示させるようにしてもよい。また、検索結果表示画面８１には、検索条件をさらに絞り込むための条件絞込みボタン８３、ファイル検索画面７１に戻るための戻りボタン８４が設けられている。
【００３４】
検索結果表示画面８１に表示されたファイル名は、ユーザにより選択可能となっており、検索結果表示画面８１でユーザがファイル名を選択すると、選択されたファイル名のファイルが有するファイル情報を詳細表示できるようになっている（図５（ｂ）参照）。
【００３５】
図６に示すように、ユーザがファイル名を選択すると、データ処理装置４は、ユーザの選択結果に基づいてこれに対応するファイル名データを取得し、さらに取得したファイル名データに関連付けられているタグ識別情報を取得する（Ｓ２１）。続いて、データ処理装置４は、取得したタグ識別情報に基づいて、当該タグ識別情報を有する無線ＩＣタグ１１（以下、指定ＩＣタグと称す）のみが応答できる、すなわち指定ＩＣタグのみを対象としたファイル情報送信命令を作成し（Ｓ２２）、（上記無線通信端末３を介して）作成したファイル情報送信命令を送信する（Ｓ２３）。指定ＩＣタグがファイル情報送信命令を受信すると、これをトリガとして、ファイル情報として記憶している全情報項目のデータをデータ処理装置４に送信する（Ｓ２４）。そして、データ処理装置４は、詳細情報表示画面９１を表示させ、指定ＩＣタグから受信した全情報項目のデータに基づいて、全情報項目の内容をディスプレイ３３に表示させる（Ｓ２５）。
【００３６】
このように本実施形態では、ファイル検索によりディスプレイ３３上に表示されたファイル名を選択することにより、特定のファイルＦを指定し、そのファイルＦが有するファイル情報を、当該ファイルＦに貼付された無線ＩＣタグ１１から読み出して、データ処理装置４のディスプレイ３３に表示させることができる。したがって、ユーザは、直接ファイルを見に行かなくても、検索条件に該当するファイルのファイル情報をデータ処理装置４のディスプレイ３３から閲覧することができ、ユーザの利便性を向上させることができる。
【００３７】
なお、ハードディスク６６には、各書棚Ｂとこれに配置された各無線通信端末３とを関連付けた端末位置情報が予め記憶されている。したがって、検索情報項目にファイルＦの配置位置が含まれる場合には、端末位置情報に基づいて、特定の無線通信端末３のみを用いて、ファイル検索を行うことにより、（全無線通信端末３を用いてファイル検索を用いる構成に比べ、データ処理装置４が扱うデータ数を削減でき）効率的にファイル検索処理を行うことが可能である。
【００３８】
また、端末位置情報に基づいて各無線通信端末３の位置情報を把握できるため、各無線通信端末３が有する固有の端末識別情報をファイルの配置位置データとして用いることが可能である。この場合、無線通信端末３が無線ＩＣタグ１１からのデータをデータ処理装置４に送るときに、当該無線通信端末３の端末識別情報を付して送信すればよい。これにより、無線ＩＣタグ１１側にファイルの配置位置データを記憶させておく必要がなくなり、また、リアルタイムでファイルの配置位置を把握することが可能となる。
【００３９】
ところで、本実施形態のファイル管理システム１は、データ処理装置４のディスプレイ３３からファイル情報を閲覧することが可能であるが、一方、ユーザがファイル検索により検索したファイルを直接見に行くことも当然考えられる。この場合、本ファイル管理システム１では、検索対象物となるファイルに貼付されたＩＣタグ付きラベル２のＬＥＤ１５を発光させることにより、容易に所望とするファイルＦを探し出すことができるようになっている。
【００４０】
上記の検索結果表示画面８１から所定の操作を行うと、ＬＥＤ１５の駆動に関する設定を行うためのＬＥＤ駆動設定画面１０１が表示される。そして、データ処理装置４は、ＬＥＤ駆動設定画面１０１による設定に基づいて、ＩＣタグ１１にＬＥＤ１５の駆動命令を送信する。
【００４１】
図７に示すように、ＬＥＤ駆動設定画面１０１は、ＬＥＤ１５を駆動するか否か、すなわちＬＥＤ１５を発光させるか否かを設定する駆動設定部１０２、ＬＥＤ１５の駆動タイミング（発光タイミング）を設定するタイミング設定部１０３、およびＬＥＤ１５の駆動時間（発光時間）を設定する時間設定部１０４と、設定を確定するためのＯＫボタン１０５と、を備えている。駆動設定部１０２は、検索結果表示画面８１に表示された各ファイル名に対応させて、チェックボックスが設けられており、当該ファイル名のファイルに貼付されているＬＥＤ１５を駆動させるか否かを個別に設定可能になっている。タイミング設定部１０３は、どのタイミングでＬＥＤ１５を駆動させるか否かを設定するものであり、数値入力または選択肢からの選択により時間を入力すると、設定が確定してから入力した時間が経過するのを待って、ＬＥＤ１５の駆動が開始される。時間設定部１０４も同様に、数値入力または選択肢からの選択によりＬＥＤ１５の駆動時間を設定する。
【００４２】
図８に示すように、ＬＥＤ駆動設定画面１０１での設定が終了すると、データ処理装置４は、ＬＥＤ１５の駆動が設定されたファイル名に対応するタグ識別情報を（ハードディスク６６から）取得（Ｓ３１）する。そして、取得したタグ識別情報を有する無線ＩＣタグ１１を指定し、設定に基づいたＬＥＤ１５の駆動命令を作成する（Ｓ３２）と共に、（無線通信端末３を介して）作成した駆動命令を送信する（Ｓ３３）。データ処理装置４に指定された無線ＩＣタグ１１は、この駆動命令に基づいて、ＬＥＤ１５を駆動させる（Ｓ３４）。
【００４３】
これにより、ユーザが所望する検索対象物のファイルＦに貼付されたＩＣタグ付きラベル２のＬＥＤ１５のみが発光する。したがって、ユーザは、ファイルの配置位置データから得られるファイルの配置位置情報と共に、ＬＥＤ１５の発光を指標として用いることにより、書棚Ｂに収納されている複数のファイルＦのうち、どれが所望とするファイルＦであるのかを容易に判別することができると共に、複数のファイルＦの中から所望とするファイルＦを速やかに見つけ出すことができる。
【００４４】
なお、ＬＥＤ１５の駆動タイミングおよびＬＥＤ１５の駆動時間に関する制御は、駆動命令に基づいて、無線ＩＣタグ１１が自身で行うことも可能であるが、本実施形態では、無線通信端末３の駆動制御を介して（すなわち、無線通信端末３による無線ＩＣタグ１１への電波の供給タイミングおよび供給時間をコントロールすることにより）、間接的に行われる。
【００４５】
次に、第２実施形態のファイル管理システムについて説明する。第２実施形態のファイル管理システムは、第１実施形態と略同様に構成されているため、ここでは異なる部分を中心に説明する。本実施形態のファイル管理システム１を構成するＩＣタグ付きラベル２の無線ＩＣタグ１１（メモリ部４１）には、タグ識別情報が記憶されているものの、ファイル情報は記憶されていない。一方、データ処理装置４（ハードディスク６６）には、予め、ファイルＦのファイル情報と、ファイルＦに貼付された無線ＩＣタグ１１のタグ識別情報と、を関連付けたファイル管理データベース（図示省略）が記憶されている。
【００４６】
そして、ファイル検索では、第１実施形態と同様の方法で、ユーザがファイル検索画面７１からデータ入力を行い、データ処理装置４が検索データ（検索条件）を取得すると、一連のファイル検索処理が開始される。
【００４７】
図９（ａ）に示すように、ファイル検索処理では、先ず、検索データに基づいて、ファイル管理データベースの検索が行われる。具体的には、検索情報項目に属するデータから検索条件に該当するデータが読み出され、続けて、読み出されたデータに関連付けられたファイル名データが読み出される（Ｓ４１）。そして、読み出したファイル名データに基づいて、ファイル名（一覧）を検索結果表示画面８１に表示させ、ファイル検索の結果とする（Ｓ４１）。
【００４８】
そして、第１実施形態と同様のＬＥＤ駆動設定画面１０１から、ＬＥＤ１５の駆動が設定されると、図９（ｂ）に示すように、データ処理装置４は、再度、ファイル管理データベースの検索を行い、ＬＥＤ１５の駆動が設定されたファイル名に対応するタグ識別情報を読み出す（Ｓ５１）。次に、この検索結果とＬＥＤ駆動設定画面１０１による設定結果に基づいて、読み出したタグ識別情報を記憶する無線ＩＣタグ１１のみが応答可能なＬＥＤ１５の駆動命令を作成し（Ｓ５２）、（無線通信端末３を介して）作成した駆動命令を送信する（Ｓ５３）。これにより、読み出したタグ識別情報を記憶する無線ＩＣタグ１１が、駆動命令を受信して、ＬＥＤ１５を駆動させ発光させる（Ｓ５４）。
【００４９】
このように、第２実施形態のファイル管理システムでは、データ処理装置４８（ハードディスク６６）に予め記憶されたファイル管理データベースを用いて検索を行っているため、ファイルの検索に要する時間の短縮を図ることが可能である。なお、第２実施形態のファイル管理システム１では、システムが起動されると、先ず、データ処理装置４と全無線ＩＣタグ１１との間でデータ（タグ識別情報）の送受信が行われ、ファイル管理データベースに記憶されている無線ＩＣタグ１１のタグ識別情報と、受信した無線ＩＣタグ１１のタグ識別情報との差分を取得するようになっている。これにより、ファイル管理システム１の起動時に各書棚Ｂに収容されているファイルＦ、換言すれば、ファイル管理データベースに記憶されていても、ファイルの持ち出し等で書棚Ｂに存在していないファイルＦを把握することが可能である。
【００５０】
次に、第３実施形態のファイル管理システムについて説明する。第３実施形態のファイル管理システムも、ファイル検索における一部の動作処理が異なる点を除いて、第１実施形態と略同様に構成されているため、ファイル検索についてのみに説明する。
【００５１】
本実施形態のファイル検索でも、第１実施形態と同様の方法でファイル検索画面７１からのデータ入力とこれに基づく検索データ（検索条件）の取得が行われ、続いて、ファイル検索処理が開始される。
【００５２】
図１０に示すように、ファイル検索処理では、先ず、取得した検索データに基づいて、当該検索データに該当するデータが、無線ＩＣタグ１１（ファイル情報記憶領域）に記憶されているか否かを検索させ、さらに該当データが存在する場合に、その無線ＩＣタグ１１のタグ識別情報と共に、記憶しているファイル名データを（無線通信端末３を介して）データ処理装置４に返信するように命令する検索・返信命令を作成する（Ｓ６１）。そして、作成した検索・返信命令を（複数の）無線通信端末３を介して、全無線ＩＣタグ１１に送信する（Ｓ６２）。
【００５３】
これにより、検索・返信命令の受信をトリガにして、無線ＩＣタグ１１のそれぞれで、当該検索データに該当するデータがファイル情報記憶領域内に記憶されているか否かについての検索が行われ（Ｓ６３）、検索により該当データが存在することが判断されたときに、データ処理装置４に対して、自身のタグ識別情報および記憶するファイル名データの返信（送信）が行われる（Ｓ６４）。
【００５４】
データ処理装置４は、無線ＩＣタグ１１からの返信されたタグ識別情報およびファイル名データを関連付けてハードディスク６６内に一時記憶すると共に、受信したファイル名データに基づいて、ファイル名（一覧）を検索結果表示画面８１に表示させ、ファイル検索の結果とする（Ｓ６５）。
【００５５】
このように、第３実施形態のファイル管理システム１では、無線ＩＣタグ１１が、検索条件に該当するデータを有しているか否かの判断を行っており、データ処理装置４は、各無線ＩＣタグ１１の検索結果を受信するだけであるので、データ処理装置４が扱うデータ数を削減することが可能である。
【００５６】
以下、ＬＥＤ１５の駆動・設定に関しては、第１実施形態と同様であり、検索結果表示画面８１を介したユーザの設定に基づいて、ファイル名データが選択され、選択されたファイル名データに関連付けられたタグ識別情報がハードディスク６６から読み出される。そして、読み出されたタグ識別情報を有する無線ＩＣタグ１１を指定した、ＬＥＤ１５の駆動命令がデータ処理装置４により作成され、送信される。
【００５７】
以上のように、本発明を適用したファイル管理システムでは、ＩＣタグ付きラベルに、無線ＩＣタグにより制御されるシグナル発信手段が設けられているため、複数のファイルの中から所望とするファイルを容易検索することができ、ユーザの利便性を向上させることができる。
【００５８】
なお、上述した実施形態によらず、ファイル管理システムの装置構成・制御構成等について、本発明の要旨を逸脱しない範囲で、適宜変更も可能であることは言うまでもない。例えば、各無線通信端末３にＬＥＤを設け、無線ＩＣタグ１１のＬＥＤ１５の発光駆動に合わせて、当該ＬＥＤ１５の駆動制御を行うＩＣタグ１１と通信を行う無線通信端末３のＬＥＤを発光させるようにしてもよい。この場合、無線通信端末３のＬＥＤの発光により、検索対象物のファイルＦが収納されている書棚Ｂを容易に特定することができ、より効率的にファイルＦの検索を行うことが可能である。
【図面の簡単な説明】
【００５９】
【図１】本発明を適用したファイル管理システムの模式説明図である。
【図２】ファイル管理システムの制御構成を示したブロック図である。
【図３】ファイル検索画面を例示した図である。
【図４】ファイル検索処理の一連のフローを示した図である。
【図５】（ａ）は、検索結果表示画面を例示した図、（ｂ）は、詳細情報表示画面を例示した図である。
【図６】ファイル情報を詳細表示させるときに行われる一連のフローを示した図である。
【図７】（ａ）は、ＬＥＤ駆動設定画面を例示した図、（ｂ）は、ＬＥＤ駆動設定画面からの設定に基づいて、ＬＥＤの駆動結果を示した模式図である。
【図８】ファイル検索のために検索対象物のファイルのＬＥＤを発光駆動させるときに行われる一連のフローを示した図である。
【図９】第２実施形態のファイル管理システムの説明図であり、（ａ）は、ファイル検索処理の一連のフローを示した図、（ｂ）は、ＬＥＤを発光駆動させるときに行われる一連のフローを示した図である。
【図１０】第３実施形態のファイル管理システムの説明図であり、ファイル検索処理の一連のフローを示した図である。
【符号の説明】
【００６０】
１  ファイル管理システム          ２  ＩＣタグ付きラベル
３  無線通信端末                  ４  データ処理装置
１１  無線ＩＣタグ                １４  シグナル発信手段
１５  ＬＥＤ                      ４１  メモリ部
４２  制御処理部                  ６２  制御部
６６  ハードディスク                Ｆ  ファイル
【図１】
2006290590.tif 000003
【図２】
2006290590.tif 000004
【図３】
2006290590.tif 000005
【図４】
2006290590.tif 000006
【図５】
2006290590.tif 000007
【図６】
2006290590.tif 000008
【図７】
2006290590.tif 000009
【図８】
2006290590.tif 000010
【図９】
2006290590.tif 000011
【図１０】
2006290590.tif 000012